(57)【要約】【課題】成形されたガラス成形品を次工程に移載させながら重量選別を連続的に行うことが可能な重量選別装置を提供すること。【解決手段】ガラス成形品Ｅを搬送する搬送装置６０と、前記搬送装置６０から前記ガラス成形品Ｅを取り出し、所定の秤量位置に移載する第一の移載装置と、前記移載されたガラス成形品を前記所定の秤量位置で秤量する秤量装置１００と、前記秤量装置１００により秤量された結果に基づき、予め定められた規格に対する適合及び不適合を判定する判定装置１２０と、前記判定装置１２０により不適合と判定されたガラス成形品Ｅを排出する排出手段１１０と、を備える重量選別装置。【選択図】図２
2007255930.tif 000002
【特許請求の範囲】
【請求項１】
ガラス成形品を所定の秤量位置で秤量する秤量装置と、
前記秤量装置により秤量された結果に基づき、予め定められた規格に対する適合品及び不適合品を選別する選別装置と、を備える重量選別装置。
【請求項２】
ガラス成形品を搬送する搬送装置から前記ガラス成形品を取り出し、所定の秤量位置に移載する第一の移載装置と、
前記移載されたガラス成形品を前記所定の秤量位置で秤量する秤量装置と、
前記秤量装置により秤量された結果に基づき、予め定められた規格に対する適合及び不適合を判定する判定装置と、
前記判定装置により不適合と判定されたガラス成形品を排出する排出手段と、を備える重量選別装置。
【請求項３】
前記重量選別装置は、前記判定装置により適合と判定されたガラス成形品を所定の位置に移載する第二の移載装置を備える、請求項２に記載の重量選別装置。
【請求項４】
前記重量選別装置は、前記判定装置により適合と判定されたガラス成形品を前記所定の秤量位置から前記搬送装置へと移載する第二の移載装置を備える、請求項２に記載の重量選別装置。
【請求項５】
前記秤量装置、及び前記選別装置が複数備えられ、複数のガラス成形品を一度に秤量、及び選別し、その後基準点の調整をする、請求項１に記載の重量選別装置。
【請求項６】
前記第一の移載装置、及び前記秤量装置が複数備えられ、複数のガラス成形品を一度に秤量、判定及び移載し、その後基準点の調整をする、請求項２に記載の重量選別装置。
【請求項７】
前記第一の移載装置、前記第二の移載装置、及び前記秤量装置が複数備えられ、複数のガラス成形品を一度に秤量、判定及び移載し、その後基準点の調整をする、請求項３、又は請求項４のいずれかに記載の重量選別装置。
【請求項８】
前記秤量装置は、当該秤量装置に帯電した静電気を除電する除電手段を備える、請求項１から請求項７に記載の重量選別装置。
【請求項９】
原料を溶融して溶融ガラスにする溶融槽と、溶融槽に接続され、前記溶融ガラスを前記溶融槽から抽出する誘導路と、を有する溶解装置と、
前記誘導路を介して抽出された前記溶融ガラスを流下させる流下装置と、
前記溶融ガラスをガラス成形品に成形する成形型を有する成形装置と、
前記成形型により成形された前記ガラス成形品を搬送する搬送装置と、
前記ガラス成形品を前記成形装置から前記搬送装置に逐次移載する第三の移載装置と、を備えるガラス成形品製造装置であって、請求項１から請求項８のいずれかに記載の重量選別装置をさらに備えるガラス成形品成形装置。
【請求項１０】
ガラス成形品を搬送する搬送工程と、
前記搬送工程において搬送される前記ガラス成形品を取り出し、所定の秤量位置に移載する第一の移載工程と、
前記第一の移載工程において移載された前記ガラス成形品を前記所定の秤量位置で秤量する秤量工程と、
前記秤量工程において秤量された結果に基づき、予め定められた規格に対する適合及び不適合を判定する判定工程と、
前記判定工程において不適合と判定された前記ガラス成形品を排出する排出工程と、を含むガラス成形品の重量選別方法。
【請求項１１】
前記重量選別方法は、前記判定工程により適合と判定されたガラス成形品を所定の位置に移載する第二の移載工程を含む、請求項１０に記載の重量選別方法。
【請求項１２】
前記重量選別方法は、前記判定工程により適合と判定されたガラス成形品を前記所定の秤量位置から、前記搬送工程に用いられる搬送装置へと移載する第二の移載工程を含む、請求項１０に記載の重量選別方法。
【請求項１３】
前記第一の移載工程は、複数の前記ガラス成形品を、前記ガラス成形品の数に対応した複数の秤量位置まで同時に移載し、前記秤量工程は、前記秤量位置まで移載された複数の前記ガラス成形品を同時に秤量し、前記判定工程は、複数の前記ガラス成形品について、予め定められた規格に対する適合及び不適合を判定し、前記排出工程は、不適合と判定された前記ガラス成形品のみを前記秤量位置から排出する、請求項１０から請求項１２のいずれかに記載の重量選別方法。
【請求項１４】
前記秤量工程において、前記秤量工程に用いられる秤量装置に帯電した静電気を除電する除電工程を行う、請求項１０から請求項１３に記載の重量選別方法。
【発明の詳細な説明】
【技術分野】
【０００１】
本発明は、光学機器に用いられるレンズやプリズム等の光学素子のモールド成形に用いられるガラス成形品（ガラスプリフォーム）の重量選別装置及び製造装置並びにガラス成形品の重量選別方法に関する。
【背景技術】
【０００２】
従来、レンズ等の光学素子を成形する方法として、溶融ガラスを成形型でプレスし、所望の光学素子に近い形状にガラスプリフォーム（ガラスゴブでもある）を成形し、このガラスプリフォームを高精度にプレス成形することにより、研磨することなく直接所望の光学素子を成形する方法が知られていた。
【０００３】
光学素子を製造する際に使用する上記ガラスプリフォームは、成形型に滴下された溶融ガラスを冷却して得られた溶融ガラス塊（ガラスゴブ）を成形することにより製造されていた。
【０００４】
ガラスプリフォームの製造方法としては、以下の方法が知られている。一例としては、成形型の一例である下型に凹状成形面を形成し、この凹状成形面に開口する細孔から気体を噴出して、下型と溶融ガラス塊とを非接触状態に保ち、場合によっては溶融ガラス塊を回転させて成形しながら冷却して、ガラスプリフォームを製造する方法が知られている。もう一つの例としては、溶融ガラスを受け入れる下型と、下型の移動経路上に配置され、成形型の一部である上型とを備え、下型に受け入れられた溶融ガラス塊を上型でプレスして、成形してガラスプリフォームを製造する方法が知られている。
【０００５】
上記いずれの方法も、回転自在に支承され、周縁部の同心位置上に下型が複数配置され、回転テーブルが回転されて連続的に溶融ガラスを受け入れ可能なロータリーインデックス方式を採用することにより、ガラスプリフォームの大量生産が可能となっている。
【０００６】
回転テーブルを備えるガラスプリフォームの製造装置であるガラス成形品製造装置３１０について、図３を用いて詳細に説明する。
【０００７】
図３に示すように、ガラス成形品製造装置３１０は、ガラス原料を溶解して溶融ガラスを得る溶融槽３１２と、この溶融槽３１２から溶融ガラスＡを抽出する誘導路３１３と、誘導路３１３により抽出された溶融ガラスＡを流下させる流下装置３１１と、流下装置３１１から流下された溶融ガラスＡを受け入れる複数の下型３１４を有する回転テーブル３１６と、を備える。下型３１４にて受け入れられた溶融ガラスＡは、回転テーブル３１６が回転されている最中に徐々に冷却、固化されてガラス成形品Ｂとなる。回転テーブル３１６が回収位置３１６ａまで回転すると、ガラス成形品Ｂは、図示しない移載装置によって型から取り出され、必要に応じて運搬され、所定の容器に収容される。
【０００８】
ここで、誘導路３１３及び流下装置３１１に付設されたヒータ（図示せず）によって溶融ガラスＡの滴下流量は制御され、所定の重量範囲内のガラス成形品Ｂを製造することが可能である。しかし、全てのガラス成形品Ｂを所定の重量範囲内にすることは限界があり、ガラス成形品Ｂが所定の重量範囲を逸脱する場合がある。例えば、溶融槽３１２内のガラス原料を溶解してから溶融ガラスＡが消費されるまでを１つのサイクルとするバッチ式の場合、溶融ガラスＡが少なくなるにつれ、誘導路３１３にかかる圧力が変化することにより、溶融ガラスＡの流量制御が困難となる。従って、所定の重量範囲外のガラス成形品Ｂが製造される場合がある。
【０００９】
従って、ガラス成形品Ｂを電子天秤３２０で秤量して、その秤量結果が、予め定められた規格に対して適合するか否かを判定する必要がある。その場合、従来は前述の容器に収容されたガラス成形品を、ピンセットのような採取手段を用いて人間の手により取り出して、重量測定をしていた。
【特許文献１】特開２００４−２５０２６７号公報
【発明の開示】
【発明が解決しようとする課題】
【００１０】
しかしながら、上記のようなガラス成形品Ｂを手作業で秤量する場合、生産効率が悪く、多大な労力と工程を要し、製品コスト高を招く大きな要因となっていた。従って、人間の手を借りずに、溶融ガラスから成形されたガラス成形品Ｂを次工程に移載させながら重量選別を連続的に行うことが可能な装置が望まれていた。
【００１１】
本発明は、以上のような課題に鑑みてなされたものであり、成形されたガラス成形品を次工程に移載させながら重量選別を連続的に行うことが可能な重量選別装置を提供することを目的としている。
【課題を解決するための手段】
【００１２】
具体的には、本発明は、以下のようなものを提供する。
【００１３】
（１）    ガラス成形品を所定の秤量位置で秤量する秤量装置と、前記秤量装置により秤量された結果に基づき、予め定められた規格に対する適合品及び不適合品を選別する選別装置と、を備える重量選別装置。
【００１４】
（１）の発明によれば、後述する成形装置で成形されたガラス成形品を、重量選別装置が備える秤量装置により秤量された結果に基づき、選別装置が予め定められた規格に対する適合及び不適合を判定し、適合品のみを選別することができる。これにより、当該規格に適合するガラス成形品のみを少ないコストで生産することが可能となる。
【００１５】
（２）  ガラス成形品を搬送する搬送装置から前記ガラス成形品を取り出し、所定の秤量位置に移載する第一の移載装置と、前記移載されたガラス成形品を前記所定の秤量位置で秤量する秤量装置と、前記秤量装置により秤量された結果に基づき、予め定められた規格に対する適合及び不適合を判定する判定装置と、前記判定装置により不適合と判定されたガラス成形品を排出する排出手段と、を備える重量選別装置。
【００１６】
（２）の発明によれば、後述する成形装置で成形されたガラス成形品を搬送する搬送装置から、第一の移載装置により、ガラス成形品が所定の秤量位置に移載され、所定の秤量位置において、秤量装置によりガラス成形品の重量が秤量される。ガラス成形品の秤量結果は、電気信号として判定装置に送られ、当該ガラス成形品が予め定められた規格に対して、適合であるか不適合であるかが判定される。不適合であると判定されたガラス成形品は排出手段により重量選別装置から排出される。したがって、本発明により、当該規格に適合するガラス成形品のみを少ないコストで生産することが可能となる。
【００１７】
（３）  前記重量選別装置は、前記判定装置により適合と判定されたガラス成形品を所定の位置に移載する第二の移載装置を備える、（２）に記載の重量選別装置。
【００１８】
（３）の発明によれば、判定装置により、予め定められた規格に対して適合と判定されたガラス成形品を第二の移載装置が所定の位置に移載するから、秤量位置に再度、秤量されていないガラス成形品を移載することができる。したがって、ガラス成形品を連続して秤量、判定することができ、当該規格に適合するガラス成形品のみを少ないコストで大量に生産することが可能となる。
【００１９】
（４）  前記重量選別装置は、前記判定装置により適合と判定されたガラス成形品を前記所定の秤量位置から前記搬送装置へと移載する第二の移載装置を備える、（２）に記載の重量選別装置。
【００２０】
（４）の発明によれば、判定装置により、予め定められた規格に対して適合と判定されたガラス成形品を第二の移載装置が搬送装置へと移載するから、適合と判定されたガラス成形品を後の工程に用いられる装置に搬送できるとともに、秤量位置に再度、秤量されていないガラス成形品を移載することができる。したがって、ガラス成形品を連続して秤量、判定、搬送することができ、当該規格に適合するガラス成形品のみを少ないコストで大量に生産することが可能となる。
【００２１】
（５）  前記秤量装置、及び前記選別装置が複数備えられ、複数のガラス成形品を一度に秤量、及び選別し、その後基準点の調整をする、（１）に記載の重量選別装置。
【００２２】
（６）  前記第一の移載装置、及び前記秤量装置が複数備えられ、複数のガラス成形品を一度に秤量、判定及び移載し、その後基準点の調整をする、（２）に記載の重量選別装置。
【００２３】
（７）  前記第一の移載装置、前記第二の移載装置、及び前記秤量装置が複数備えられ、複数のガラス成形品を一度に秤量、判定及び移載し、その後基準点の調整をする、（３）、又は（４）のいずれかに記載の重量選別装置。
【００２４】
（５）から（７）の発明によれば、第一の移載装置によるガラス成形品の移載、秤量装置によるガラス成形品の秤量、第二の移載装置によるガラス成形品の移載、及び選別装置によるガラス成形品の選別を、同時に複数のガラス成形品について行うことができるため、ガラス成形品の秤量、判定、移載、選別を効率的に行うことができ、予め定められた規格に適合するガラス成形品を少ないコストで効率的に、かつ大量に生産することが可能となる。秤量、判定、移載、選別の後に、基準点の調整を行うので、ガラス成形品の秤量を常に正確に行うことができる。
【００２５】
なお、本明細書中において、「基準点の調整を行う」とは、秤量装置のいわゆるゼロ点補正、ゼロセットを意味する。
【００２６】
（８）  前記秤量装置は、当該秤量装置に帯電した静電気を除電する除電手段を備える、（１）から（７）に記載の重量選別装置。
【００２７】
（８）の発明によれば、秤量装置に帯電した静電気を除電することができるため、静電気がガラス成形品の秤量結果に悪影響を与えることを防止することができ、ガラス成形品を正確に秤量することができる。これにより、重量選別装置によるガラス成形品の選別を的確に行うことができる。
【００２８】
（９）  原料を溶融して溶融ガラスにする溶融槽と、溶融槽に接続され、前記溶融ガラスを前記溶融槽から抽出する誘導路と、を有する溶解装置と、前記誘導路を介して抽出された前記溶融ガラスを流下させる流下装置と、前記溶融ガラスをガラス成形品に成形する成形型を有する成形装置と、前記成形型により成形された前記ガラス成形品を搬送する搬送装置と、前記ガラス成形品を前記成形装置から前記搬送装置に逐次移載する第三の移載装置と、を備えるガラス成形品製造装置であって、（１）から（８）のいずれかに記載の重量選別装置をさらに備えるガラス成形品成形装置。
【００２９】
（９）の発明によれば、溶融槽において原料を溶融することによって製造した溶融ガラスを、誘導路を介して抽出し、流下装置によって成形装置に流下し、流下された溶融ガラス塊を成形装置によって成形、冷却する。成形装置により成形、冷却されたガラス成形品は搬送装置により搬送され、さらに重量選別装置により適合品、不適合品に選別される。本発明に係るガラス成形品成形装置は、重量選別装置を備えているので、予め定められた規格に適合するガラス成形品のみを、少ないコストで大量生産することが可能である。
【００３０】
（１０）  ガラス成形品を搬送する搬送工程と、前記搬送工程において搬送される前記ガラス成形品を取り出し、所定の秤量位置に移載する第一の移載工程と、前記第一の移載工程において移載された前記ガラス成形品を前記所定の秤量位置で秤量する秤量工程と、前記秤量工程において秤量された結果に基づき、予め定められた規格に対する適合及び不適合を判定する判定工程と、前記判定工程において不適合と判定された前記ガラス成形品を排出する排出工程と、を含むガラス成形品の重量選別方法。
【００３１】
（１０）の発明によれば、成形装置で成形されたガラス成形品を搬送する搬送工程により搬送されるガラス成形品を、第一の移載工程により、所定の秤量位置に移載し、所定の秤量位置において、秤量工程によりガラス成形品の重量が秤量される。ガラス成形品の秤量結果は、電気信号として判定工程に送られ、当該ガラス成形品が予め定められた規格に対して、適合であるか不適合であるかが判定される。不適合であると判定されたガラス成形品は排出工程により所定の秤量位置から排出される。したがって、本発明により、当該規格に適合するガラス成形品のみを少ないコストで生産することが可能となる。
【００３２】
（１１）  前記重量選別方法は、前記判定工程により適合と判定されたガラス成形品を所定の位置に移載する第二の移載工程を含む、（１０）に記載の重量選別方法。
【００３３】
（１１）の発明によれば、判定工程により、予め定められた規格に対して適合と判定されたガラス成形品を第二の移載工程により所定の位置に移載するから、秤量位置に再度、秤量されていないガラス成形品を移載することができる。したがって、ガラス成形品を連続して秤量、判定することができ、当該規格に適合するガラス成形品のみを少ないコストで大量に生産することが可能となる。
【００３４】
（１２）  前記重量選別方法は、前記判定工程により適合と判定されたガラス成形品を前記所定の秤量位置から、前記搬送工程に用いられる搬送装置へと移載する第二の移載工程を含む、（１０）に記載の重量選別方法。
【００３５】
（１２）の発明によれば、判定工程により、予め定められた規格に対して適合と判定されたガラス成形品を第二の移載工程により搬送工程に用いられる搬送装置へと移載するから、適合と判定されたガラス成形品を後の工程に用いられる装置に搬送できるとともに、秤量位置に再度、秤量されていないガラス成形品を移載することができる。したがって、ガラス成形品を連続して秤量、判定、搬送することができ、当該規格に適合するガラス成形品のみを少ないコストで大量に生産することが可能となる。
【００３６】
（１３）  前記第一の移載工程は、複数の前記ガラス成形品を、前記ガラス成形品の数に対応した複数の秤量位置まで同時に移載し、前記秤量工程は、前記秤量位置まで移載された複数の前記ガラス成形品を同時に秤量し、前記判定工程は、複数の前記ガラス成形品について、予め定められた規格に対する適合及び不適合を判定し、前記排出工程は、不適合と判定された前記ガラス成形品のみを前記秤量位置から排出する、（１０）から（１２）のいずれかに記載の重量選別方法。
【００３７】
（１３）の発明によれば、第一の移載工程によるガラス成形品の移載、秤量工程によるガラス成形品の秤量、判定工程による、ガラス成形品の重量の、予め定められた規格に対する適合及び不適合の判定、排出工程による、不適合と判定されたガラス成形品の排出を、同時に複数のガラス成形品について行うことができるため、ガラス成形品の移載、秤量、判定、排出を効率的に行うことができ、予め定められた規格に適合するガラス成形品を少ないコストで効率的にかつ、大量に生産することが可能となる。
【００３８】
（１４）  前記秤量工程において、前記秤量工程に用いられる秤量装置に帯電した静電気を除電する除電工程を行う、（１０）から（１３）に記載の重量選別方法。
【００３９】
（１４）の発明によれば、秤量工程に用いられる秤量装置に帯電した静電気を除電することができるため、静電気がガラス成形品の秤量結果に悪影響を与えることを防止することができ、ガラス成形品を正確に秤量することができる。これにより、重量選別方法によるガラス成形品の選別を的確に行うことができる。
【発明の効果】
【００４０】
本発明によれば、成形されたガラス成形品を搬送させながらガラス成形品の重量による選別を連続的に行うことが可能な重量選別装置を提供可能である。
【発明を実施するための最良の形態】
【００４１】
以下、本発明の各実施形態を図面に基づいて説明する。なお、以下の実施形態の説明にあたって、同一構成要件については同一符号を付し、その説明を省略もしくは簡略化する。
【００４２】
［ガラス成形品製造装置］
図１は、本発明の実施形態の好適な一例を示すものであり、重量選別装置を含むガラス成形品製造装置１０を概略的に示した斜視図である。なお、一部装置の記載を省略している。
【００４３】
図１に示すように、ガラス成形品製造装置１０は、原料を溶解して溶融ガラスＣを得るための溶解装置１５と、溶解装置１５から得られた溶融ガラスＣからガラス成形品Ｅを成形する成形装置２０と、成形装置２０により成形されたガラス成形品Ｅを次工程に移動させる第三の移載装置４０と、第三の移載装置４０によって移載させられたガラス成形品Ｅを搬送させる搬送装置６０と、搬送装置６０からガラス成形品Ｅを移載し、移載されたガラス成形品Ｅを秤量してその結果によりガラス成形品Ｅを適合品又は不適合品に選別をする重量選別装置５０と、重量選別装置５０により適合品として選別されたガラス成形品Ｅを回収する回収装置１４０と、を備える。このガラス成形品製造装置１０は、後述するように、センサ（図示せず）の検知に基づいてモータ等の駆動装置がコンピュータ制御され、所定のタイミングに基づいて、各装置が連動することになる。上記のような制御が行われることにより、溶解装置１５、成形装置２０、第三の移載装置４０、搬送装置６０、重量選別装置５０及び回収装置１４０が連続的に連動して運転される。
【００４４】
［溶解装置］
図１に示すように、溶解装置１５は、ガラス原料を溶解して溶融ガラスＣを得る溶融槽１６と、この溶融槽１６から溶融ガラスＣを抽出させる誘導路１７と、誘導路１７により抽出された溶融ガラスＣを成形装置２０に流下する流下装置１８と、を有する。
【００４５】
本実施形態において、溶融槽１６は、原料の溶解、清澄、均質化までの機能をもった間欠式の炉を構成するが、各々の機能をユニット型に連結した連結式の炉を構成するものであってもよい。
【００４６】
誘導路１７は、溶融槽１６の底部に連通されている。この誘導路１７は、白金あるいは白金合金製の細長いパイプであり、直接通電、又は、付設されたガスバーナー等による間接加熱により加熱され、内部を流れる溶融ガラスＣの粘度を所定の値に調節して誘導路１７内の溶融ガラスＣの抽出量を制御する。誘導路１７から抽出した溶融ガラスＣは、流下装置１８に到達し、流下装置１８の成形装置２０側の末端から成形装置２０に流下される。流下された溶融ガラスＣは、適切な時間（流下される重量、容量）毎にシアリング装置（図示せず）によって切断される。
【００４７】
なお、本実施形態における溶解装置１５は、流下装置１８の下流にシアリング装置を備えているが、これに限定されない。即ち、溶解装置１５は流下装置１８の下流になんらの装置をも備えず、流下装置１８を流下する溶融ガラスＣの流量に従って溶融ガラスＣを溶融ガラス塊Ｄとして滴下するものであってもよい。
【００４８】
［成形装置］
成形装置２０は、回転自在に支承された略円形成形型支持部材２２と、略円形成形型支持部材２２の周縁部の同心位置上に配置され、上記流下装置１８から流下された溶融ガラスＣを受け入れ可能な複数の成形型２６と、を有する。
【００４９】
略円形成形型支持部材２２は、図示しない回転軸と連設されており、回転軸に更に連接された動力源であるモータ（図示せず）が駆動又は停止することによって、一定方向に（例えば、時計回りに）所定速度で回転し、又は停止する。
【００５０】
成形型２６は、凹状成形面２６ａが形成されている。この凹状成形面２６ａは、流下装置１８から流出された溶融ガラスＣを受け入れる面である。凹状成形面２６ａには、気体を噴出可能な細孔（図示せず）が形成されていてもよい。凹状成形面２６ａに受け入れられた溶融ガラス塊Ｄは、徐々に冷却、固化されるとともに、細孔から噴出された気体により、凹状成形面２６ａから非接触状態の位置に浮遊し、場合によっては、更に、球状に成形されて、ガラス成形品Ｅとなる。
【００５１】
なお、成形型２６としては、溶融ガラスＣを受け入れる下型（成形型２６の一例）と、下型の移動経路上に配置される上型（成形型２６の一例）を備え、下型に受け入れられた溶融ガラス塊Ｄを上型でプレスするものであってもよい。
【００５２】
［第三の移載装置］
第三の移載装置４０は、鉛直方向に延伸し、回転可能な回転軸４９と、この回転軸４９に支承され、水平に延伸している略矩形の天板４１と、天板４１の底面の四隅から鉛直方向に延伸している吸引パイプ４２と、を有する。また、第三の移載装置４０は、回転軸４９が回転することにより、水平方向に１８０度回転することができるとともに、上下方向に昇降可能な構造となっている。
【００５３】
吸引パイプ４２は、大気を吸引、吐出することが可能な構造となっており、大気を吸引することで、ガラス成形品Ｅを一定期間吸着保持でき、大気を吐出することで、ガラス成形品Ｅを吸引パイプから放出することが可能となっている。
【００５４】
略円形成形型支持部材２２が回転し、一対の成形型２６が所定の取り出し位置に移動された場合は、第三の移載装置４０全体が下降した後、２本の吸引パイプ４２が大気を吸引して２個のガラス成形品Ｅを吸着保持し、他方の２本の吸引パイプ４２は大気を吐出して保持していた２個のガラス成形品Ｅを放出する。このとき、２個のガラス成形品Ｅは、後述するように、搬送装置６０であるベルトコンベアのベルト６４上にあるパレット６２に載置されることになる。
【００５５】
ここで、ガラス成形品Ｅを移載する方法は、吸引に限定されるものではなく、例えば、爪のようなもので当該ガラス成形品Ｅをつかむことにより、移載することもできる。また、第三の移載装置４０が一度に保持できるガラス成形品Ｅの数量は、２個に限定されるものではない。
【００５６】
次に、図２を用いて、搬送装置６０及び重量選別装置５０及び回収装置１４０を説明する。図２は、搬送装置６０、重量選別装置５０及び回収装置１４０を概略的に示した斜視図である。
【００５７】
［搬送装置］
図２に示すように、搬送装置６０は、例えば、第三の移載装置４０から移載されたガラス成形品Ｅを搬送するベルトコンベアである。
【００５８】
搬送装置６０は、成形装置２０（によってガラス成形品Ｅを成形する成形工程）で成形されたガラス成形品Ｅを載置するパレット６２を次工程である回収工程に搬送する搬送装置の一例である。搬送装置６０は、図示しないモータによって駆動されるベルト６４によって、パレットを搬送する。ベルト６４は、端部で反転することにより、周回する構造となっている。
【００５９】
上記搬送装置６０は、光センサ（図示せず）等に基づいてモータがコンピュータ制御されることにより、ベルト６４が移動、停止される。このベルト６４の動作に伴い、ガラス成形品Ｅが載置されたパレット６２は、所定のタイミングで搬送されるとともに、所定の位置で停止されることになる。
【００６０】
［重量選別装置］
図２に示すように、重量選別装置５０は、パレット６２から後述する秤量装置１００にガラス成形品Ｅを移載する第一の移載装置であり、判定装置１２０により適合であると判定されたガラス成形品Ｅを秤量装置１００からパレット６２へと移載する第二の移載装置でもある、第一及び第二の移載装置８０と、ガラス成形品Ｅの重量を秤量する秤量装置１００と、秤量装置１００により秤量された結果に基づき、予め定められた規格に対する適合及び不適合を判定する判定装置１２０と、判定装置１２０により不適合と判定されたガラス成形品Ｅを吸引してガラス成形品製造装置１０から排出する排出手段１１０と、を備えている。
【００６１】
［第一及び第二の移載装置］
搬送装置６０よりも高い位置に設けられている第一及び第二の移載装置８０は、搬送装置６０の長手方向に対して垂直に延伸する構造となっている。第一及び第二の移載装置８０は、レール８２と、レール８２から垂直方向に突出している天板８４と、天板８４の底面の四隅から、鉛直方向に延伸している吸引パイプ９２と、を有する。なお、第一及び第二の移載装置８０は、第一の移載装置及び第二の移載装置の一例である。
【００６２】
天板８４は、搬送装置６０の直上から、後述する秤量装置１００の秤１０２の直上までレール８２に沿って（水平方向に）移動可能である。吸引パイプ９２は、上下方向に伸縮可能な構造となっている。上述した吸引パイプ４２と同様に、吸引パイプ９２は、大気を吸引、吐出することが可能な構造となっており、大気を吸引することによってガラス成形品Ｅを一定期間吸着（吸引）保持でき、一方、大気を吐出することによってガラス成形品Ｅを吸引パイプから放出することが可能となっている。
【００６３】
第一及び第二の移載装置８０は、搬送装置６０によってパレット６２が所定の取り出し位置である移載位置６４ｂに搬送された場合、パレット６２からガラス成形品Ｅを取り出すとともに、後述する所定の秤量位置にガラス成形品Ｅを移載する。
【００６４】
また、第一及び第二の移載装置８０は、秤量装置１００により秤量された結果に基づき、予め定められた規格に対して適合と判定されたガラス成形品Ｅを、所定の秤量位置からパレット６２に移送する第二の移載装置の一例として機能する。
【００６５】
なお、本実施形態では、第一の移載装置と第二の移載装置を同一な第一及び第二の移載装置８０としているが、別々に第一の移載装置と第二の移載装置を設けてもよい。
【００６６】
［秤量装置］
図４に示すように、秤量装置１００は、ガラス成形品Ｅを秤量するためにガラス成形品Ｅの重量を電気信号に変換する秤１０２と、秤１０２に帯電した静電気を除電する除電手段１０４と、を備える。
【００６７】
秤１０２は、それぞれ上面に凹状となっている凹状形成面１０２ａが形成されている。第一及び第二の移載装置８０によって移載されたガラス成形品Ｅは、上記凹状形成面１０２ａ（所定の秤量位置に相当）に載置される。秤１０２は、ガラス成形品Ｅがそれぞれ凹状形成面１０２ａに載置されると、ガラス成形品Ｅを秤量し、ガラス成形品Ｅの重量を対応する電気信号に変換する。変換された電気信号は後述する秤量表示判定装置１２２に伝達される。信号の伝達経路は、有線であっても無線であってもよい。なお、秤１０２は、電子天秤の一例である。
【００６８】
（除電手段）
秤１０２は、ガラス成形品Ｅを連続して秤量することにより、凹状形成面１０２ａが、静電気を帯電して、秤量結果に誤差を生じさせることがある。このため、第一及び第二の移載装置８０により、凹状形成面１０２ａにガラス成形品Ｅを載置する前に、除電手段１０４により、凹状形成面１０２ａに帯電した静電気を除電する。秤量装置１００に用いられる除電手段１０４としては、例えば凹状形成面１０２ａに帯電した静電気の極性と、逆の極性のイオンを含むイオン含有ガスを発生させて凹状形成面１０２ａに吹きつけ、凹状形成面１０２ａを除電するイオナイザーが挙げられるが、これに限定されない。即ち、除電手段１０４は、除電ブラシなどであってもよく、秤量装置１００による秤量結果に悪影響を与えずに、凹状形成面１０２ａを有効に除電できるものであれば、どのようなものであってもよい。
【００６９】
［判定装置］
判定装置１２０は、秤量装置１００によりガラス成形品Ｅを秤量した結果を表示するとともに、秤量装置１００により秤量された結果に基づき、予め定められた規格に対する適合及び不適合を判定する。
【００７０】
判定装置１２０は、秤量表示判定装置１２２から構成されている。秤量表示判定装置１２２は、それぞれ液晶表示装置１２３を有するとともに、ＣＰＵ、ＲＯＭ、ＲＡＭ（図示せず）等を備えている。この秤量表示判定装置１２２は、それぞれ前述の秤１０２から送信された電気信号に基づいて、ガラス成形品Ｅの重量を算出し、当該ガラス成形品Ｅの重量の、予め定められた規格に対する適合及び不適合を判定する。
【００７１】
［排出手段］
図２に示すように、排出手段１１０は、判定装置１２０により、予め定められた規格に対して不適合であると判定された、ガラス成形品Ｅを吸引して重量選別装置５０から排出するバキュームダクト１１２と、このバキュームダクト１１２とそれぞれ連通している真空ポンプ１１３とを有する。なお、バキュームダクト１１２は、その一部を省略して記載している。
【００７２】
本実施形態において、バキュームダクト１１２は、その末端部１１２ａをそれぞれ秤１０２の近傍に設けた、金属製の断面が矩形の筒状体であるが、そのような形状のものに限定されず、その材質は金属以外、例えば、プラスチック等であってもよい。
【００７３】
真空ポンプ１１３は、不適合品回収部（図示せず）を経由して、バキュームダクト１１２とそれぞれ連通している。真空ポンプ１１３の電源が投入されると、バキュームダクト１１２を真空状態にして凹状形成面１０２ａに載置されたガラス成形品Ｅが吸引され、不適合品回収部にガラス成形品Ｅが回収される。すなわち、判定装置１２０が、ガラス成形品Ｅの重量を、予め定めされた規格に対して不適合であると判定した場合に、ガラス成形品Ｅを吸引して外部に排出することになる。
【００７４】
なお、本発明の排出手段１１０としては、不適合と判定されたガラス成形品Ｅを、判定装置１２０から排出できるものであればどのようなものであってもよく、バキュームダクトを用いたものに限定されない。
【００７５】
［回収装置］
回収装置１４０は、可動部１５０と、この可動部１５０と連設された天板１５２と、天板１５２の底面の四隅から、鉛直方向に延伸している吸引パイプ１４２と、を有する。
【００７６】
可動部１５０は、前後左右自在、更には、昇降自在に可動である。天板８４は、所定の回収位置のパレットからガラス成形品回収トレー（図示しない）まで移動可能となっている。吸引パイプ１４２は、上述した吸引パイプ４２と同様に、大気を吸引、吐出することが可能な構造となっており、大気を吸引することによってガラス成形品Ｅを一定期間吸着（吸引）保持でき、一方、大気を吐出することによってガラス成形品Ｅを吸引パイプから放出することが可能となっている。
【００７７】
回収装置１４０は、パレット６２が回収位置６４ｃまで搬送された場合に、ガラス成形品Ｅを、吸着保持して、次工程である回収工程に移送する第四の移載装置の一例である。
【００７８】
［重量選別装置の動作］
次に、重量選別装置５０の動作について図１及び図２を用いて説明する。
【００７９】
図１及び図２に示すように、第三の移載装置４０によって成形装置２０の成形型２６から移送されたガラス成形品Ｅは、搬送装置６０のベルト６４上の移載位置６４ａでパレット６２に載置される。パレット６２に所定数、本実施形態においては、４個のガラス成形品Ｅが載置されると、搬送装置６０は、モータ（図示せず）を駆動させてベルト６４を所定時間（所定距離）移動させることにより、パレット６２を移載位置６４ｂまで搬送する（搬送工程）。
【００８０】
パレット６２が移載位置６４ｂまで搬送されると、吸引パイプ９２の末端部が当該パレット６２の凹状形成面６２ａの上方に位置するように、天板８４が平行移動する。そして、吸引パイプ９２によってガラス成形品Ｅが吸着保持されると、吸引パイプ９２がそれぞれ秤１０２の上方に位置するように、天板８４が平行移動する。吸引パイプ９２はガラス成形品Ｅを放出し、ガラス成形品Ｅはそれぞれ秤１０２の凹状形成面１０２ａに載置される（第一の移載工程）。
【００８１】
秤１０２は、それぞれ凹状形成面１０２ａに載置されたガラス成形品Ｅを秤量する。秤１０２は、ガラス成形品Ｅの重量に対応した電気信号を秤量表示判定装置１２２に伝達する（秤量工程）。この電気信号に基づいてガラス成形品Ｅの重量を算出した秤量表示判定装置１２２は、凹状形成面１０２ａに載置されたガラス成形品Ｅの重量の、予め定められた規格に対する適合及び不適合を判定する（判定工程）。
【００８２】
秤量表示判定装置１２２は、ガラス成形品Ｅの重量が、予め定められた規格に対して不適合である場合は、不適合品であるガラス成形品Ｅを外部に排出するために、真空ポンプ１１３の電源を投入する（排出工程）。
【００８３】
真空ポンプ１１３が作動された後に、吸引パイプ９２が昇降して、排出されなかったガラス成形品Ｅ、すなわち、適合品であるガラス成形品Ｅを吸着保持する。天板８４が再度パレット６２の上方に移動した後、ガラス成形品Ｅを放出し、放出されたガラス成形品Ｅは、パレット６２の凹状形成面６２ａに載置される（第二の移載工程）。
【００８４】
秤１０２から全てのガラス成形品Ｅが排出、移載された後、秤量装置の基準点の調整を行う。これにより、ガラス成形品Ｅの秤量を的確に行うことができる。
【００８５】
そして、搬送装置６０は、再度モータを駆動させ、ベルト６４を移動させることにより、回収位置６４ｃまでパレット６２を搬送させる。
【００８６】
回収装置１４０は、搬送されたパレット６２からガラス成形品Ｅを回収して、次工程にガラス成形品Ｅを移送する。
【００８７】
なお、秤１０２は、ガラス成形品Ｅを連続して秤量することにより、凹状形成面１０２ａが、静電気を帯電して、秤量結果に誤差を生じさせることがある。このため、第一及び第二の移載装置８０により、凹状形成面１０２ａ上のガラス成形品が搬送装置６０に移載された後、第一及び第二の移載装置８０により、再度、凹状形成面１０２ａにガラス成形品Ｅが載置される前に、除電手段１０４により、凹状形成面１０２ａに帯電した静電気を除電する（除電工程）。
【００８８】
なお、略円形成形型支持部材２２の成形型２６の数、第三の移載装置４０の吸引パイプの数、パレット６２の凹状形成面の数等は、一例であり、任意の数を設定することが可能である。
【００８９】
また、本実施形態において、搬送装置６０をベルトコンベアとしたが、他の搬送装置であってもよく、例えば、エアシューターや他の種類のコンベアでもよい。同様に、第一及び第二の移載装置８０、秤量装置１００、判定装置１２０等の装置も任意に設定することができる。
【００９０】
また、本実施形態においては、重量選別装置５０は、それぞれ分離した、秤量装置１００と、排出手段１１０と、判定装置１２０と、第一及び第二の移載装置８０とを備えているが、これに限定されない。即ち、本発明の重量選別装置５０は、これらの装置が一体として形成された選別装置を備えるものであってもよい。
【００９１】
また、本発明は前記実施形態に限定されるものではなく、本発明の目的を達成できる範囲での変形、改良等は本発明に含まれるものである。
【図面の簡単な説明】
【００９２】
【図１】本発明の実施形態に係る重量選別装置を含むガラス成形品製造装置を概略的に示した斜視図である。
【図２】本発明の重量選別装置を概略的に示した斜視図である。
【図３】従来のガラス製造装置を概略的に示した断面図である。
【図４】本発明の重量選別装置に用いられる秤量装置を示した斜視図である。
【符号の説明】
【００９３】
１０    ガラス成形品製造装置
１５    溶解装置
１６    溶融槽
１７    誘導路
１８    流下装置
２０    成形装置
２２    略円形成形型支持部材
２６ａ    凹状成形面
２６    成形型
４０  第三の移載装置
４１    天板
４２    吸引パイプ
４９    回転軸
５０    重量選別装置
６０    搬送装置
６２    パレット
６２ａ    凹状形成面
６４    ベルト
６４ａ    移載位置
６４ｂ    移載位置
６４ｃ    回収位置
８０    第一及び第二の移載装置
８２    レール
８４    天板
９２    吸引パイプ
１００    秤量装置
１０２ａ    凹状形成面
１０２    秤
１０４    除電手段
１１０    排出手段
１１２    バキュームダクト
１１２ａ    末端部
１１３    真空ポンプ
１２０    判定装置
１２２    秤量表示判定装置
１２３    液晶表示装置
１４０    回収装置
１４２    吸引パイプ
１５０    可動部
１５２    天板
Ｃ    溶融ガラス
Ｄ    溶融ガラス塊
Ｅ    ガラス成形品
【図１】
2007255930.tif 000003
【図２】
2007255930.tif 000004
【図３】
2007255930.tif 000005
【図４】
2007255930.tif 000006